(57)【要約】【課題】光ディスクに傷が生じるのを防止可能な光ディスク搬送機構および光ディスク再生装置を提供すること。【解決手段】光ディスク再生装置１０の光ディスク搬送機構１１は、光ディスクＤに面的に接触する搬送ベルト４１と、この搬送ベルト４１を駆動させるためのモータ３８と、を具備しており、さらには回動支点を中心に回動するアーム部材５２を具備し、このアーム部材５２の回動によって搬送ベルト４１に対して接離可能な圧着ローラ５３を具備するローラ部材５０を備えている。【選択図】図１
2010262721.tif 000002
【特許請求の範囲】
【請求項１】
光ディスクに面的に接触する搬送ベルトと、
上記搬送ベルトを駆動させるためのモータと、
を具備することを特徴とする光ディスク搬送機構。
【請求項２】
請求項１記載の光ディスク搬送機構において、
回動支点を中心に回動するアーム部材を具備し、このアーム部材の回動によって前記搬送ベルトに対して接離可能な圧着ローラを具備するローラ部材を備える、
ことを特徴とする光ディスク搬送機構。
【請求項３】
請求項１または２記載の光ディスク搬送機構において、
前記アーム部材には、前記圧着ローラが前記光ディスクから離間する向きに回動させられる場合にディスク挿入口から前記光ディスクが移動するディスク搬送経路に差し掛かるように起き上がる挿入防止突起が設けられている、
ことを特徴とする光ディスク搬送機構。
【請求項４】
請求項１から３のいずれか１項に記載の光ディスク搬送機構において、
前記搬送ベルトは、一対の搬送ローラによって駆動可能に設けられていると共に、
上記搬送ローラは、ローラ用シャーシによって回転可能に支持されていて、
上記ローラ用シャーシは、回動軸を支点として回動可能に設けられている、
ことを特徴とする光ディスク搬送機構。
【請求項５】
請求項１から４のいずれか１項に記載の光ディスク搬送機構を具備すると共に、
前記光ディスクに対して光を照射し、反射された情報を読み取るための光ピックアップを備え、前記光ディスクを回転可能に保持するターンテーブルを備えると共に、この光ピックアップを支持するトラバースシャーシを備えるトラバースユニットと、
上記トラバースシャーシに設けられている支持軸を中心に上記トラバースユニットを回動させて上記ターンテーブルを昇降させることにより、前記光ディスクを上記ターンテーブルに保持させる昇降カム機構部と、
を具備することを特徴とする光ディスク再生装置。
【発明の詳細な説明】
【技術分野】
【０００１】
本発明は、光ディスク搬送機構および光ディスク再生装置に関する。
【背景技術】
【０００２】
従来、スロットイン方式のディスク再生装置（光ディスク再生装置）は、ディスク（光ディスク）の下面側に搬送ローラが配置されていると共に、ディスクの上面側に平板状のディスクガイドが配置されていて、この搬送ローラを用いてディスクをディスク再生装置の内部に搬送している。これに対して、特許文献１には、ディスクの上面側に弾性ローラと滑りローラか配置されている構成が開示されている。
【先行技術文献】
【特許文献】
【０００３】
【特許文献１】特開２００８−２６９７４０号公報
【発明の概要】
【発明が解決しようとする課題】
【０００４】
ところで、上述のスロットイン方式にみられる圧着ローラ式のディスク搬送装置においては、ディスクの搬送時に傷が生じ易い。そのような傷には、搬送ローラでの摩擦による搬送力／排出力を確保するために、小径かつゴムローラから構成される搬送ローラによって、ディスクの読み取り面側を高い圧着力で圧着することによる傷がある。また、搬送ローラに塵埃等が付着し、当該塵埃が付着したままでディスクを搬送することによって、ディスクの読み取り面に傷が生じる場合もある。さらに、ディスクのラベル面側が平板状のディスクガイドに接触する場合、ディスクガイドとラベル面との間の摩擦摺動によって摩擦傷が生じる場合もある。
【０００５】
このような傷は、いずれも、ディスクを搬送する際にディスクと接触する部分（摩擦部位）が局部的であり、不安定な条件でディスクの搬送力を確保していることに起因している。
【０００６】
また、ディスクのラベル面には、印刷ラベルが形成されることがあり、またラベル面に対して表面加工処理を施したり、ラベル面に凹凸を形成する場合がある。その場合、ラベル面の摩擦係数が、ラベル面の部位によって変化するため、ディスクの搬送力／排出力が不安定となり易く、その結果としてラベル面に傷を生じさせる場合がある。
【０００７】
本発明は上記の事情にもとづきなされたもので、その目的とするところは、光ディスクに傷が生じるのを防止可能な光ディスク搬送機構および光ディスク再生装置を提供しよう、とするものである。
【課題を解決するための手段】
【０００８】
上記課題を解決するために、本発明の光ディスク搬送機構の第１の側面は、光ディスクに面的に接触する搬送ベルトと、搬送ベルトを駆動させるためのモータと、を具備するものである。
【０００９】
また、本発明の光ディスク搬送機構の他の側面は、上述の発明において、回動支点を中心に回動するアーム部材を具備し、このアーム部材の回動によって搬送ベルトに対して接離可能な圧着ローラを具備するローラ部材を備えることが好ましい。
【００１０】
さらに、本発明の部品取り付け構造の他の側面は、上述の発明において、アーム部材には、圧着ローラが光ディスクから離間する向きに回動させられる場合にディスク挿入口から光ディスクが移動するディスク搬送経路に差し掛かるように起き上がる挿入防止突起が設けられていることが好ましい。
【００１１】
また、本発明の光ディスク搬送機構の他の側面は、上述の発明において、搬送ベルトは、一対の搬送ローラによって駆動可能に設けられていると共に、搬送ローラは、ローラ用シャーシによって回転可能に支持されていて、ローラ用シャーシは、回動軸を支点として回動可能に設けられている、ことが好ましい。
【００１２】
さらに、本発明の光ディスク再生装置は、上述の光ディスク搬送機構に係る各発明を具備すると共に、光ディスクに対して光を照射し、反射された情報を読み取るための光ピックアップを備え、光ディスクを回転可能に保持するターンテーブルを備えると共に、この光ピックアップを支持するトラバースシャーシを備えるトラバースユニットと、トラバースシャーシに設けられている支持軸を中心にトラバースユニットを回動させてターンテーブルを昇降させることにより、光ディスクをターンテーブルに保持させる昇降カム機構部と、を具備することが好ましい。
【発明の効果】
【００１３】
本発明によると、光ディスクに傷が生じるのを防止可能となる。
【図面の簡単な説明】
【００１４】
【図１】本発明の一実施の形態に係るディスク再生装置の構成の主要部分を示す斜視図である。
【図２】図１のディスク再生装置のうち、主要な構成要素を示す分解斜視図である。
【図３】図１のディスク再生装置のうち、主要な構成要素を側面から見た構成を示す側面図である。
【図４】図１のディスク再生装置のうち、トラバースシャーシが第１突出部によって持ち上げられる前の状態を示す側面図である。
【図５】図１のディスク再生装置のうち、トラバースシャーシが第１突出部によって持ち上げられている状態を示す側面図である。
【図６】図１のディスク再生装置のうち、第２突出部がカム係合部に衝突して、搬送ローラおよびローラアームが回動させられている状態を示す側面図である。
【発明を実施するための形態】
【００１５】
以下、本発明の一実施の形態に係る、ディスク搬送機構１１（光ディスク搬送機構に対応）およびディスク再生装置１０（光ディスク再生装置に対応）について、各図に基づいて説明する。
【００１６】
なお、ディスク再生装置１０で再生されるディスクＤ（記録媒体）は、光ディスクであり、ＣＤ、ＤＶＤ（Digital Versatile Disc）、ＢＤ（Blu-ray Disc）、ＣＤ−Ｒ、ＤＶＤ−Ｒ、ＤＶＤ−ＲＷ、ＤＶＤ−ＲＡＭ等の記録媒体があり、その他の記録媒体であっても良い。
【００１７】
また、以下の説明では、上側（上方側）とは、底面部２１から上面部２２に向かう方向を指す。同様に、下向きとは、上面部２２から底面部２１に向かう方向を指す。さらに、奥側とは、ディスクＤがディスク再生装置１０の内部に搬入される際の該ディスクＤの進行方向の側を指し、手前側とは、搬入される際の当該進行方向の逆側（ディスク挿入口２７側）を指す。
【００１８】
＜構成について＞
図１に示すように、ディスク再生装置１０は、筐体２０と、ベルト搬送部３０と、圧着ローラ部材５０と、トラバースユニット６０と、昇降カム機構部７０と、駆動制御部（図示省略）と、を主要な構成要素としている。
【００１９】
これらのうち、筐体２０は、ディスク再生装置１０の各種機器を覆うと共に、それら各種機器を支持する部分である。この筐体２０は、図１に示すように、底面部２１、上面部２２、側面部２３，２４、前面部２５、および後面部２６を有している。それらのうち、底面部２１には、圧着ローラ部材５０、トラバースユニット６０および昇降カム機構部７０が支持されている。また、上面部２２には、ベルト搬送部３０が支持されている。また、前面部２５には、ディスクＤを差し込むためのディスク挿入口２７が形成されている。
【００２０】
図１および図２に示すように、ベルト搬送部３０は、回動軸３１を回動中心として回動可能に設けられている。この回動軸３１は、図３に示すように、上面部２２に取り付けられている。また、この回動軸３１には、搬送ベルト用シャーシ３２が回動自在に取り付けられている。搬送ベルト用シャーシ３２は、前面シャーシ部３２１、側面シャーシ部３２２および後側突出部３２３等を有している。
【００２１】
前面シャーシ部３２１は、上述の回動軸３１が挿通される部分である。また、側面シャーシ部３２２は、搬送ベルト用シャーシ３２の幅方向の両端にそれぞれ設けられていて、後述する搬送ローラ３９を回転可能に軸支している。また、後側突出部３２３は、側面シャーシ部３２２よりも奥側に向かって突出する部位である。後側突出部３２３の縁部を平面視すると、略円弧状を為すように設けられている。そして、この後側突出部３２３の縁部には、回動ギヤ３２３ａが形成されている。回動ギヤ３２３ａは、伝達ギヤ３３と噛み合っていて、この伝達ギヤ３３を介して回動モータ３４の駆動力が回動ギヤ３２３ａに伝達され、ベルト搬送部３０が回動軸３１を中心に回動させられる。
【００２２】
また、前面シャーシ部３２１には、ベルト駆動ギヤ３５が、回動軸３１を介して回動自在に取り付けられている。このベルト駆動ギヤ３５は、後述するローラギヤ３９３と噛合するギヤ部３５１を下方に有している。なお、ギヤ部３５１は、ローラギヤ３９３に駆動力を良好に伝達させるために、ネジ歯車等であることが好ましい。また、ベルト駆動ギヤ３５のうち、その上方側には、従動プーリ部３５２が設けられている。従動プーリ部３５２には、伝達ベルト３６が掛け渡される。
【００２３】
上述の伝達ベルト３６は、伝達ギヤ３７の駆動プーリ部３７２にも掛け渡されている。伝達ギヤ３７は、筐体２０の内部のうち、一方側（図２においては、右側）に設けられている。この伝達ギヤ３７は、ギヤ部３７１と、駆動プーリ部３７２とを有している。ギヤ部３７１は、ベルト駆動モータ３８の回転軸に取り付けられている伝達ギヤ３８１と噛み合って、回転させられる。それにより、駆動プーリ部３７２が回転させられ、伝達ベルト３６およびベルト駆動ギヤ３５を介して、搬送ローラ３９が回転させられる。なお、ベルト駆動モータ３８は、モータに対応している。このベルト駆動モータ３８は、筐体２０の内部のうち、伝達ギヤ３７よりも一方側（図２において右側）に設けられている。
【００２４】
また、搬送ローラ３９は、不図示の軸支部と、ベルト接触部３９２と、ローラギヤ３９３とを有している。軸支部は、側面シャーシ部３２２に回転可能に軸支される部分であり、例えばベルト接触部３９２よりも小径に設けられている。また、ベルト接触部３９２は、搬送ローラ３９の長手方向の中央に位置するローラギヤ３９３を挟んで一対設けられている。このベルト接触部３９２は、搬送ベルト４１を接触させるための部分であり、その接触により搬送ベルト４１を良好に駆動させることを可能としている。そのため、ベルト接触部３９２は、搬送ローラ３９の他の部位よりも摩擦力の大きな部材から形成されているか、または歯車状に形成されている。さらに、ローラギヤ３９３は、搬送ローラ３９の長手方向の中央に設けられている。このローラギヤ３９３は、上述のギヤ部３５１と噛み合って、ベルト駆動モータ３８からの駆動力が伝達させられる部分である。
【００２５】
また、ディスク再生装置１０の奥側にも、搬送ローラ４０が設けられている。搬送ローラ４０は、ローラギヤを有していないが、ローラギヤを有していても良い。また、搬送ローラ４０は、それ以外の構成は搬送ローラ３９と同様である。
【００２６】
また、搬送ベルト４１は、上述のベルト接触部３９２に接触して駆動させられる。この搬送ベルト４１は、本実施の形態では、ディスクＤを搬送するための摩擦力を与えると共に、例えば透明な材質から形成されている。そのため、後述する検出センサ５６から発せられる光およびディスクＤから反射される光が、この搬送ベルト４１を透過することが可能となっている。また、搬送ベルト４１は、本実施の形態では、ベルト接触部３９２の長さ寸法に対応する幅寸法を有している。また、ベルト接触部３９２が一対設けられていることに対応して、搬送ベルト４１も一対設けられている。一対の搬送ベルト４１は、ローラギヤ３９３に対応する間隔が空けられて配置されている。
【００２７】
なお、搬送ベルト４１は、検出センサ５６から発せられる光およびディスクＤから反射される光を透過可能であれば、その材質は透明材質には限られない。透明材質以外の材質としては、例えば、光を透過可能な孔が多数形成されて、網目状となっている材質が挙げられる。
【００２８】
また、図２等に示すように、圧着ローラ部材５０は、ローラ部材に対応している。圧着ローラ部材５０は、底面部２１に取り付けられていて、ベルト搬送部３０の手前側かつ下方側に設けられている。また、圧着ローラ部材５０は、ローラ用シャーシ５１と、ローラアーム５２と、圧着ローラ５３とを具備している。これらのうち、圧着ローラ部材５０は、底面部２１に取り付けられている回動軸５４を回動中心として回動可能に設けられている。この回動軸５４には、ローラ用シャーシ５１が回動自在に取り付けられている。このローラ用シャーシ５１は、プレート部５１１、前面突出部５１２、および不図示の軸支部等を有している。
【００２９】
これらのうち、プレート部５１１は、上述したように回動軸５４が取り付けられる部分であり、回動軸５４を差し込むための不図示の孔部が形成されている。また、前面突出部５１２は、プレート部５１１よりも前面側に向かって突出している部位であり、平面部分が筐体２０の側面部２３，２４と略平行を為すように配置されている。この前面突出部５１２には、係止孔５１３が形成されている。係止孔５１３には、係止バネ５１４（図１参照）の一端側が掛け止めされる。なお、係止バネ５１４の他端側は、筐体２０の前面部２５等の所定部位に掛け止めされる。また、係止バネ５１４は、係止孔５１３の左右に、それぞれ配置されていて、一対の係止バネ５１４が釣り合い状態にある場合には、後述する圧着ローラ５３が奥行き方向の中心線に沿ってディスクＤを送り込むことを可能としている。
【００３０】
また、軸支部は、ローラアーム５２を回動自在に軸支する部分であり、プレート部５１１のうち奥側かつ側縁部にそれぞれ（合計一対）設けられている。なお、軸支部は、ローラアーム５２を軸支可能であれば、どのような形態を有していても良いが、その一例としては、小径の突出形状とするものが挙げられる。
【００３１】
また、ローラ用シャーシ５１には、上述の軸支部を介して、一対のローラアーム５２が回動自在に取り付けられている。ローラアーム５２は、アーム部材に対応している。このローラアーム５２は、例えば長板状の部材から構成されていて、図２等に示すように、ディスク再生装置１０の奥行き方向に向かって延伸している。なお、本実施の形態では、ローラ用シャーシ５１は圧着ローラ５３の長さ寸法よりも幅狭に設けられているため、ローラアーム５２は、圧着ローラ５３からローラ用シャーシ５１に向かうにつれて、ディスク再生装置１０の中央側に向かうように設けられている。
【００３２】
図２等に示すように、一対のローラアーム５２からは、側方突出部５２１が突出している。側方突出部５２１は、ディスク再生装置１０の幅方向に向かって突出している。なお、側方突出部５２１は、一対のローラアーム５２を連結するように延伸していても良く、一対のローラアーム５２を連結せず、途切れる状態（すなわち一対存在する状態）に設けられていても良い。この側方突出部５２１の所定部位からは、上方に向かって挿入防止突起５２２が突出している。挿入防止突起５２２は、圧着ローラが底面部２１側に向かうように圧着ローラ部材５０が回動させられる場合、ディスク挿入口２７に差し掛かってディスクＤの２枚入れを防止する。本実施の形態では、挿入防止突起５２２は、ディスク再生装置１０の幅方向に沿って、一対設けられている。
【００３３】
図４等に示すように、ローラアーム５２には、カム係合部５２３が設けられている。カム係合部５２３は、後述する第２突出部７１２と衝突する部位であり、その衝突によって圧着ローラ５３が底面部２１に向かうように、ローラアーム５２および圧着ローラ５３を、回動させることが可能となる。なお、カム係合部５２３は、図４等においては、ローラアーム５２から下方側に向かうように突出しているが、第２突出部７１２と衝突可能であれば、どのような突出形状を有していても良い。
【００３４】
また、一対のローラアーム５２の奥側には、圧着ローラ５３が回転自在に取り付けられている。図３等に示すように、圧着ローラ５３は、上述の搬送ベルト４１に対して、下方側から上方に向かうように圧着する部分である。この圧着ローラ５３と搬送ベルト４１の間にディスクＤを挟み込み、その状態で搬送ベルト４１が駆動させられると、ディスクＤを搬送することが可能となっている。かかる搬送を実現するため、圧着ローラ５３の表面は、ディスクＤに対して所定の摩擦力を及ぼす材質（ゴム等）から形成されている。
【００３５】
図３に示すように、ローラアーム５２には、付勢バネ５５の一端が連結されている。この付勢バネ５５の他端は、筐体２０の前面部２５に連結されている。そのため、ローラアーム５２には、図３において時計回りに回動する向きの付勢力が与えられる。かかる付勢力により、圧着ローラ５３には、搬送ベルト４１に向かって圧着するための力（圧着力）が与えられる。
【００３６】
また、搬送ベルト用シャーシ３２には、ディスクＤの有無を検出するための検出センサ５６が取り付けられている。この検出センサ５６は、例えば反射式の光学センサであり、投光部および受光部を備えている。なお、検出センサ５６としては、光学センサには限られず、接触式のセンサ、導通のオン／オフ方式のセンサ、磁気方式のセンサ、静電気方式のセンサ等の他の方式のセンサを用いるようにしても良い。また、検出センサ５６は、ディスク再生装置１０の幅方向に沿って、所定のピッチで複数個配置されている。そのため、異なる径のディスクＤ、または形状が円形でないディスクＤが挿入された場合でも、そのディスクＤの外縁部を認識可能となっている。
【００３７】
底面部２１には、トラバースユニット６０が取り付けられている。トラバースユニット６０は、トラバースシャーシ６１を有している。トラバースシャーシ６１には、主軸６２および副軸６３が取り付けられていると共に、この主軸６２および副軸６３に沿って、光ピックアップ６５を備える光ピックアップユニット６４が摺動可能に設けられている。そして、光ピックアップ６５の所定部位には、下方側に向かい爪（図示省略）が突出していて、該爪は、リードスクリュー（図示省略）に係合している。リードスクリューは、スレッドモータ（図示省略）により回転駆動され、この回転駆動により光ピックアップユニット６４は、ディスクＤの半径方向に摺動し、ディスクＤより信号を読み取る。
【００３８】
また、図２に示すように、トラバースシャーシ６１には、スピンドルモータ６７が取り付けられていて、このスピンドルモータ６７の回転軸には、ディスクＤがチャッキングされるターンテーブル６６が取り付けられている。なお、ターンテーブル６６には、ディスクＤの中心孔に差し込まれる凸部分６６１が設けられていて、かかる凸部分６６１によって、ディスクＤの保持を行える構成となっている。また、トラバースユニット６０は、支持軸６１１を介して底面部２１に回動自在に取り付けられている。支持軸６１１は、トラバースシャーシ６１のうち奥側の部位に取り付けられている。そして、トラバースユニット６０が図４において反時計回りに回動させられる。
【００３９】
図４〜図６に示すように、底面部２１のうち、トラバースユニット６０の手前側の部位には、昇降カム機構部７０が設けられている。昇降カム機構部７０は、トラバースユニット６０を、支持軸６１１を中心として回動させて、ターンテーブル６６を昇降させるための部材である。この昇降カム機構部７０は、昇降カム７１と、カム駆動モータ（図示省略）と、駆動ギヤ７３とを具備している。昇降カム７１には、第１突出部７１１と、第２突出部７１２とが設けられている。第１突出部７１１は、トラバースシャーシ６１の下方側かつ手前側の部位に当接して、その回転に伴ってトラバースユニット６０を上方に持ち上げるための部分である。そのため、第１突出部７１１は、第２突出部７１２以外の昇降カム７１の外縁部よりも、その回転中心から離間している。
【００４０】
また、第２突出部７１２も、第１突出部７１１と同様に、昇降カム７１の他の部分と比較して、昇降カム７１の回転中心から離間している部分である。第２突出部７１２は、カム係合部５２３と衝突して、上述したローラアーム５２および圧着ローラ５３を、回動させるための部分である。すなわち、第２突出部７１２は、ローラアーム５２のカム係合部５２３と当接して、圧着ローラ５３を下方に移動させるようにローラアーム５２を回動させるための部分である。
【００４１】
また、カム駆動モータは、昇降カム７１を回動させるためのモータであり、その回転軸には回転ギヤ７４が取り付けられている。また、駆動ギヤ７２は、昇降カム７１と同軸に設けられていて、回転ギヤ７４と噛み合ってカム駆動モータの駆動力が伝達される部分である。
【００４２】
なお、昇降カム７１とトラバースシャーシ６１とのそれぞれには、付勢バネ７５の一端側および他端側がそれぞれ連結されている。この付勢バネ７５により、トラバースユニット６０は、その手前側が下方に向かう付勢力が与えられる。そのため、昇降カム７１は、その外縁部においてトラバースシャーシ６１の下面と常時接触する状態となる。
【００４３】
また、駆動制御部は、検出センサ５６を始めとする各種センサからの出力が入力されると共に、回動モータ３４、ベルト駆動モータ３８、スレッドモータ、スピンドルモータ６７、およびカム駆動モータの駆動を制御する。なお、この制御部の他に、光ピックアップ６５がディスクＤから読み取った信号を処理する信号処理部も設けられている。
【００４４】
＜動作について＞
以上のような構成を有する、ディスク再生装置１０の動作について、以下に説明する。ユーザがディスクＤを把持して、そのディスクＤを挿入すると、当該ディスクＤの挿入は、不図示の検知センサによって検知される。そして、駆動制御部は、この検知センサの検知に基づいて、ディスクＤが搬送ベルト４１によって奥側に送られるように、ベルト駆動モータ３８を駆動させる。
【００４５】
それにより、搬送ローラ３９が回転させられ、その回転に伴って搬送ベルト４１は、ディスクＤを奥側に向って搬送するように駆動させられる。また、ディスクＤが搬入される場合、昇降カム７１の第１突出部７１１はトラバースシャーシ６１の下方側と接触していない。そのため、図４に示すように、トラバースユニット６０は、ターンテーブル６６が搬送ベルト６６よりも下方に位置する回動位置に位置している。
【００４６】
また、図４に示すように、ディスクＤが搬入される場合、昇降カム７１の第２突出部７１２は、カム係合部５２３と衝突していない。そのため、圧着ローラ５３は、搬送ベルト４１に対して、付勢バネ５５によって付勢力を及ぼす状態で当接している。このため、ディスクＤは、搬送ベルト４１と圧着ローラ５３との間に挟み込まれ、その状態で搬送ベルト４１が駆動させられることによって、奥側に送られる。
【００４７】
ここで、ディスクＤの先端が所定だけ進行すると、当該ディスクＤは、検出センサ５６に差し掛かる。この検出センサ５６によって、ディスクＤの有無が検出される。また、検出センサ５６は、ディスク再生装置１０の幅方向に沿って、所定のピッチで複数個配置されていることから、さらにディスクＤが進行することにより、検出センサ５６によってディスクＤの直径（例えば、大径ディスクであるか、または小径ディスクであるか等）を識別可能となる。
【００４８】
そして、ディスクＤの直径を識別後、駆動制御部は、ディスクＤの送り量を決定し、その分だけベルト駆動モータ３８の駆動を継続させ、その後ベルト駆動モータ３８の駆動を停止させる。
【００４９】
その停止後、カム駆動モータが駆動させられ、昇降カム７１が回動させられる。それにより、第１突出部７１１は、トラバースシャーシ６１の下方に接触し、トラバースユニットの手前側を持ち上げるようにして、トラバースユニット６０を支持軸６１１を支点として回動させる。それにより、図５に示すように、ターンテーブル６６の上方側は、一対の搬送ベルト４１，４１の間の間隔において上昇し、その凸部分６６１はディスクＤの上面よりも上方に突出する。それにより、ディスクＤのターンテーブル６６に対するチャッキングがなされる。
【００５０】
ディスクＤのターンテーブル６６によるチャッキング後、さらに昇降カム７１がカム駆動モータの駆動により回動させられると、第１突出部７１１はトラバースシャーシ６１との接触状態を経過し、トラバースシャーシ６１の下方は、昇降カム７１の低位部と接触する。それにより、トラバースユニット６０は、支持軸６１１を支点として、その手前側が下方に向かうように回動させられる。この回動により、ディスクＤは、搬送ベルト４１から下方に向かうように離間させられる。それにより、ディスクＤの再生が可能な状態となる。
【００５１】
一方、ディスクＤのチャッキング後、さらに昇降カム７１がカム駆動モータの駆動により回動させられると、図６に示すように、第２突出部７１２がカム係合部５２３に衝突して、圧着ローラ５３が下方に向かうようにローラアーム５２および圧着ローラ５３を回動させる。それにより、圧着ローラ５３は、ディスクＤの再生状態においても、当該ディスクＤから離間させられる。また、図５から図６に示す昇降カム７１の回動においては、挿入防止突起５２２がディスク挿入口２７からのディスク搬送経路に差し掛かる。そのため、ディスクＤを更に挿入する、いわゆる２枚入れを防止する。
【００５２】
なお、ディスクＤをディスク再生装置１０の内部から排出する場合の動作は、上述の動作と逆となるが、それ以外に差異は少ないため、その説明を省略する。また、光ピックアップ６５によりディスクＤの有無の検出をしている場合において、新たなディスクＤの挿入が不図示の検知センサによって検出される場合、ディスクＤを搬送ベルト４１によって排出させるように、ベルト駆動モータ３８を駆動させるようにしても良い。また、ディスクＤの排出時においては、検出センサ５６によってディスクＤの中心孔を検出した場合、または検出センサ５６によってディスクＤの縁部を検出した場合、またはそれらの検出のタイミングから所定後に、ベルト駆動モータ３８の駆動を停止させるようにしても良い。
【００５３】
＜効果＞
以上のような構成のディスク搬送機構１１およびディスク再生装置１０によれば、搬送ベルト４１によってディスクＤが、ディスク再生装置１０の内部に送り込まれる。そのため、ディスクＤと搬送ベルト４１とは、面的に接触し、従来のディスクガイドと搬送ローラとでディスクを搬送する方式と比較して、搬送ベルト４１のディスクＤに対する接触面積が大面積となる。それにより、ディスクＤに付与される応力を小さくすることが可能となり、ディスクＤのラベル面等に傷が生じるのを防止可能となる。
【００５４】
また、本実施の形態においては、圧着ローラ５３を具備するものの、この圧着ローラ５３は、搬送ベルト４１をディスクＤに圧着させることによって効果的に搬送ベルト４１の駆動力をディスクＤに伝達するための、アイドルローラであるため、ディスクＤと圧着ローラ５３とはスリップすることがなく、ディスクＤには、一層傷を生じさせないことが可能となる。
【００５５】
さらに、上述の搬送ベルト４１を用いるディスクＤの搬送により、ディスクＤのラベル面に、印刷ラベル等のような凹凸が形成されていて、ラベル面の摩擦係数がラベル面の部位によって変化する場合であっても、ディスクＤの搬送力／排出力を安定化させることが可能となる。そのため、ディスクＤのラベル面等に傷が生じるのを効果的に防止可能となる。
【００５６】
また、本実施の形態では、圧着ローラ５３は、回動軸を支点として回動可能に設けられている。そのため、ディスクＤのターンテーブル６６へのチャッキングの際には、圧着ローラ５３はディスクＤから離間させる向きに回動させることが可能となる。
【００５７】
さらに、本実施の形態では、ローラアーム５２には、挿入防止突起５２２が設けられていて、この挿入防止突起５２２は、ディスク挿入口２７からのディスク搬送経路に差し掛かるように設けられている。そのため、ディスクＤが既にディスク再生装置１０の内部に存在しているにも拘わらず、さらにディスクＤを挿入しようとする、いわゆる２枚入れが防止可能となる。
【００５８】
また、本実施の形態では、ローラ用シャーシ５１は、回動軸５４を支点として、回動モータ３４の駆動により回動可能に設けられている。そのため、ディスクＤの中心孔が、ターンテーブル６６に対して、例えばディスク再生装置１０の幅方向に所定だけずれている場合であっても、ローラ用シャーシ５１を回動させることで、所定の範囲内のずれを解消して、ディスクＤのターンテーブル６６に対するチャッキングを良好に行うことが可能となる。
【００５９】
さらに、本実施の形態では、昇降カム機構部７０によって、トラバースユニット６０が支持軸６１１を支点として回動させられる。かかる回動により、ターンテーブル６６を上下方向に移動させることが可能となり、ターンテーブル６６に対してディスクＤを良好にチャッキングさせることが可能となる。
【００６０】
＜変形例＞
以上、本発明の一実施の形態に係るディスク搬送機構１１およびディスク再生装置１０について説明したが、本発明はこれ以外にも種々変形可能となっている。以下、それについて述べる。
【００６１】
上述の実施の形態においては、ローラ用シャーシ５１は、底面部２１に対して、回動軸３１を支点として回動自在に軸支されている。しかしながら、ローラ用シャーシ５１は、上面部２２に対して、回動軸を支点として回動自在な構成を採用しても良い。
【００６２】
また、上述の実施の形態では、圧着ローラ部材５０によりディスクＤが下方に落下しないように支持されている。しかしながら、ディスクＤが落下しないための構成は、圧着ローラ部材５０には限られなく、他の構成を用いるようにしても良い。他の構成としては、例えば、ディスクＤを搬送ベルト４１側で、例えば真空吸引や粘着力によって保持する構成が挙げられる。
【００６３】
また、本実施の形態では、回動モータ３４とベルト駆動モータ３８とをそれぞれ設ける構成を採用している。しかしながら、例えば前面シャーシ部３２１とベルト駆動ギヤ３５との間でロック可能な構成を採用して、ベルト駆動モータ３８に、回動モータ３４の機能を兼用させるようにしても良い。
【００６４】
また、上述の実施の形態では、トラバースユニット６０は、昇降カム機構部７０を用いて、支持軸６１１を支点として回動し、その回動によってターンテーブル６６が昇降する構成を採用している。しかしながら、このような昇降カム機構部７０を設ける構成を採用せずに、別途の構成を採用して、ターンテーブル６６を昇降させる構成を実現しても良い。別途の構成の例としては、モータおよびラックギヤを用いたり、または電磁方式のアクチュエータを用いて、トラバースユニット６０を昇降させるものがある。
【００６５】
また、上述の実施の形態では、搬送ベルト４１は、一対設けられている。しかしながら、搬送ベルト４１の個数は一対には限られず、１つのみとしても良く、また３つ以上設けるように構成しても良い。
【００６６】
また、上述の実施の形態におけるディスク再生装置１０としては、家庭用または車載用を始めとするオーディオ機器、カーナビゲーション装置、映像表示装置、録画再生装置等が代表例として挙げられる。また、ディスク搬送機構１１は、光ディスク以外のディスク（光磁気ディスク等）を搬送するものであっても良い。また、ディスク再生装置は、光ディスク再生装置以外のディスク再生装置であっても良い。
【産業上の利用可能性】
【００６７】
本発明の光ディスク搬送機構および光ディスク再生装置は、各種の電気機器の分野において利用することができる。
【符号の説明】
【００６８】
１０…ディスク再生装置（光ディスク再生装置に対応）
１１…ディスク搬送機構（光ディスク搬送機構に対応）
２０…筐体
３０…ベルト搬送部
３２…搬送ベルト用シャーシ
３３…伝達ギヤ
３４…回動モータ
３５…ベルト駆動ギヤ
３６…伝達ベルト
３８…ベルト駆動モータ（モータに対応）
３９，４０…搬送ローラ
４１…搬送ベルト
５０…圧着ローラ部材（ローラ部材に対応）
５１…ローラ用シャーシ
５２…ローラアーム（アーム部材に対応）
５３…圧着ローラ
５４…回動軸
５５…付勢バネ
５６…検出センサ
６０…トラバースユニット
６１…トラバースシャーシ
６４…光ピックアップユニット
６５…光ピックアップ
６６…ターンテーブル
６７…スピンドルモータ
７０…昇降カム機構部
７１…昇降カム
３２１…前面シャーシ部
３２２…側面シャーシ部
３２３…後側突出部
５１１…プレート部
５１２…前面突出部
５２１…側方突出部５２１
５２２…挿入防止突起
６１１…支持軸
７１１…第１突出部
７１２…第２突出部
Ｄ…ディスク（光ディスクに対応）
【図１】
2010262721.tif 000003
【図２】
2010262721.tif 000004
【図３】
2010262721.tif 000005
【図４】
2010262721.tif 000006
【図５】
2010262721.tif 000007
【図６】
2010262721.tif 000008